(57)【要約】【課題】人体に対し二酸化炭素を集中的に作用させることができる積層体、二酸化炭素供給部材及び口腔内用二酸化炭素供給部材を提供する。【解決手段】積層体であって、２３℃及び相対湿度０％の条件で、ＪＩＳ  Ｋ７１２６−１に準じて測定される二酸化炭素透過度が１０Ｌ／（ｍ２・ｄａｙ・ａｔｍ）以上でありガラス転移温度が４５℃以下である層Ｈと、前記積層体に内包されている二酸化炭素保持部Ｒと、を有する積層体、二酸化炭素供給部材及び口腔内用二酸化炭素供給部材である。【選択図】図１
2020196178.tif 000002
【特許請求の範囲】
【請求項１】
積層体であって、
２３℃及び相対湿度０％の条件で、ＪＩＳ  Ｋ７１２６−１（２００６年）に準じて測定される二酸化炭素透過度が１０Ｌ／（ｍ２・ｄａｙ・ａｔｍ）以上でありガラス転移温度が４５℃以下である層Ｈと、
前記積層体に内包されている二酸化炭素保持部Ｒと、
を備える積層体。
【請求項２】
前記二酸化炭素保持部Ｒが二酸化炭素保持部材を含み、前記二酸化炭素保持部材が、綿、布及び多孔体からなる群から選ばれる少なくとも１種を含む請求項１に記載の積層体。
【請求項３】
前記層Ｈが、ビニル系樹脂、オレフィン系樹脂、スチレン系樹脂、アクリル系樹脂及びそれらのエラストマーからなる群から選ばれる少なくとも１種の高分子を含む請求項１又は請求項２に記載の積層体。
【請求項４】
前記層Ｈの前記二酸化炭素透過度に対して、前記二酸化炭素透過度が２０％以下である層Ｌをさらに備える請求項１〜請求項３のいずれか１項に記載の積層体。
【請求項５】
前記層Ｌが、ポリエステル系樹脂、アミド系樹脂、ビニル系樹脂、オレフィン系樹脂、スチレン系樹脂、アクリル系樹脂及びそれらのエラストマー樹脂からなる群から選ばれる少なくとも１種の高分子を含む請求項４に記載の積層体。
【請求項６】
前記二酸化炭素保持部Ｒが、前記層Ｈと前記層Ｌとの間に配置されている請求項４又は請求項５に記載の積層体。
【請求項７】
前記二酸化炭素保持部Ｒが前記層Ｈに内包されている請求項１〜請求項５のいずれか１項に記載の積層体。
【請求項８】
請求項１〜請求項７のいずれか１項に記載の積層体を備える二酸化炭素供給部材。
【請求項９】
さらに、把持部を備え、前記層Ｈの少なくとも一部が露出している請求項８に記載の二酸化炭素供給部材。
【請求項１０】
前記積層体は、長尺状であり、長尺方向と交差する方向に切断した場合の断面において、前記層Ｈが最も外側に配置されている請求項８又は請求項９に記載の二酸化炭素供給部材。
【請求項１１】
前記積層体が、中心部に空洞を有する長尺状である請求項１０に記載の二酸化炭素供給部材。
【請求項１２】
請求項１０又は請求項１１に記載の二酸化炭素供給部材の両端が接続されて形成されている環状構造体を備える口腔内用二酸化炭素供給部材。
【請求項１３】
さらに、前記積層体の一部と他の一部とを接続する接続部を備える請求項１２に記載の口腔内用二酸化炭素供給部材。
【発明の詳細な説明】
【技術分野】
【０００１】
本開示は、積層体、二酸化炭素供給部材及び口腔内用二酸化炭素供給部材に関する。
【背景技術】
【０００２】
現在、積層体は、化粧品等の様々な用途に用いられている。
また、積層体は、積層体を構成する層の材質、形状等により多様な用途に適用し得ることが知られている。
例えば、積層体を化粧品として用いる場合には、積層体を構成する層として吸水性を有する不織布を用い、上記不織布に化粧料等を含浸させることが知られている。
以上のように、積層体は、特定の成分を所定の状況下で積層体内から積層体外へ放出させる用途で用いられる場合がある。
【０００３】
例えば、特許文献１には、液体又はゲルを保持した不織布と二酸化炭素透過性が１０万ｃｃ／ｍ２・ｄａｙ・ａｔｍ（２５℃）以下である二酸化炭素難透過性フィルムの積層シートを二酸化炭素非透過性容器内に封入した後に、二酸化炭素を充填することを特徴とする、二酸化炭素難透過性フィルムと不織布とを積層したシートが二酸化炭素非透過性容器中に封入された身体貼付用シートであって、当該積層手段が二酸化炭素難透過性フィルムと不織布とを部分的に接合し、当該不織布の少なくとも一部に二酸化炭素と水分を含む液体又はゲルが保持されており、当該二酸化炭素は、前記容器内に液体又はゲルの容積に対し０．５〜５倍量充填してなる身体貼付用シートの製造方法が記載されている。
【０００４】
特許文献２には、波長５５０ｎｍに於ける光透過率が少なくとも７０％以上で含水ゲルからなるゲルシートに二酸化炭素を１５０ｐｐｍ〜３，０００ｐｐｍ含有してなるシート状組成物が記載されている。
【０００５】
特許文献３には、液体含浸性基材と高分子フィルムとを熱融着により積層してなる積層シートであって、高分子フィルムが、温度２１０℃、荷重２１６０ｇの条件で測定されるメルトマスフローレイト（ＭＦＲ）が１０〜１８ｇ／１０分であり、エチレン／ビニルアルコールのモル比率が３０／７０〜５５／４５のエチレン／ビニルアルコール共重合体からなる単層のフィルムであることを特徴とする積層シートが記載されている。
【０００６】
特許文献４には、（Ａ）有機酸及び無機酸から選ばれる粉体、（Ｂ）炭酸塩である粉体、（Ｃ）融点が５０℃以上１１０℃以下であり、かつ２５℃で固体である物質、及び（Ｄ）繊維を含有する不織布シートが記載されている。
【先行技術文献】
【特許文献】
【０００７】
【特許文献１】特許第４０８８２９８号公報
【特許文献２】特開２００６−８９４５９号公報
【特許文献３】特許第５２２６９４８号公報
【特許文献４】特開２０１８−５９２６２号公報
【発明の概要】
【発明が解決しようとする課題】
【０００８】
ここで、皮膚の血行促進効果を得る目的で、皮膚に二酸化炭素を作用させることが知られている。
上記の観点から、二酸化炭素を含む積層体を皮膚に適用することで、適用された箇所近傍の血行を促進し得ると考えられる。
特許文献１〜特許文献４は、身体貼付用シート、シート状組成物又は不織布シートから放出される二酸化炭素の方向を制御することについて考慮されておらず、皮膚の所望の箇所に二酸化炭素を集中的に作用させることは困難であると考えられる。
【０００９】
本開示の実施形態が解決しようとする課題は、人体に対し二酸化炭素を集中的に作用させることができる積層体、二酸化炭素供給部材及び口腔内用二酸化炭素供給部材を提供することである。
【課題を解決するための手段】
【００１０】
上記課題を解決する手段には、以下の態様が含まれる。
＜１＞  積層体であって、２３℃及び相対湿度０％の条件で、ＪＩＳ  Ｋ７１２６−１（２００６年）に準じて測定される二酸化炭素透過度が１０Ｌ／（ｍ２・ｄａｙ・ａｔｍ）以上でありガラス転移温度が４５℃以下である層Ｈと、前記積層体に内包されている二酸化炭素保持部Ｒと、を有する積層体。
＜２＞  前記二酸化炭素保持部Ｒ二酸化炭素保持部材を含み、前記二酸化炭素保持部材が、綿、布及び多孔体からなる群から選ばれる少なくとも１種を含む＜１＞に記載の積層体。
＜３＞  前記層Ｈが、ビニル系樹脂、オレフィン系樹脂、スチレン系樹脂、アクリル系樹脂及びそれらのエラストマーからなる群から選ばれる少なくとも１種の高分子を含む＜１＞又は＜２＞に記載の積層体。
＜４＞  前記層Ｈの前記二酸化炭素透過度に対して、前記二酸化炭素透過度が２０％以下である層Ｌをさらに備える＜１＞〜＜３＞のいずれか１項に記載の積層体。
＜５＞  前記二酸化炭素保持部Ｒが、前記層Ｈと前記層Ｌとの間に配置されている＜４＞に記載の積層体。
＜６＞  前記二酸化炭素保持部Ｒが前記層Ｈに内包されている＜１＞〜＜４＞のいずれか１項に記載の積層体。
＜７＞  前記層Ｌが、ポリエステル系樹脂、アミド系樹脂、ビニル系樹脂、オレフィン系樹脂、スチレン系樹脂、アクリル系樹脂及びそれらのエラストマー樹脂からなる群から選ばれる少なくとも１種の高分子を含む＜４＞〜＜６＞のいずれか１項に記載の積層体。
＜８＞  ＜１＞〜＜７＞のいずれか１項に記載の積層体を備える二酸化炭素供給部材。
＜９＞  さらに、把持部を備え、前記層Ｈの少なくとも一部が露出している＜８＞に記載の二酸化炭素供給部材。
＜１０＞  前記積層体は、長尺状であり、長尺方向と交差する方向に切断した場合の断面において、前記層Ｈが最も外側に配置されている＜８＞又は＜９＞に記載の二酸化炭素供給部材。
＜１１＞  前記積層体が、中心部に空洞を有する長尺状である＜１０＞に記載の二酸化炭素供給部材。
＜１２＞  ＜１０＞又は＜１１＞に記載の二酸化炭素供給部材の両端が接続されて形成されている環状構造体を備える口腔内用二酸化炭素供給部材。
＜１３＞  さらに、前記積層体の一部と他の一部とを接続する接続部を備える＜１２＞に記載の口腔内用二酸化炭素供給部材。
【発明の効果】
【００１１】
本開示の実施形態によれば、人体に対し二酸化炭素を集中的に作用させることができる積層体、二酸化炭素供給部材及び口腔内用二酸化炭素供給部材を提供することができる。
【図面の簡単な説明】
【００１２】
【図１】本開示の積層体の実施形態を説明するための概略図である。
【図２】本開示における態様Ａに係る積層体を説明するための概略図である。
【図３】本開示における態様Ｂに係る積層体を説明するための概略図である。
【図４】（ａ）本開示における態様Ｃに係る二酸化炭素供給部材を示す概略図である。（ｂ）図４（ａ）で示すＸ−Ｘ線に沿って切断した場合の断面図である。
【図５】本開示における態様Ｄに係る二酸化炭素供給部材を説明するための断面図である。
【図６】環状構造体を備える口腔内用二酸化炭素供給部材の使用形態を説明するための概略図である。
【図７】接続部を備える口腔内用二酸化炭素供給部材を説明するための概略図である。
【発明を実施するための形態】
【００１３】
以下、本開示の積層体、二酸化炭素供給部材及び口腔内用二酸化炭素供給部材について、詳細に説明するが、本開示は、以下の実施形態に何ら限定されるものではなく、本開示の目的の範囲内において、適宜変更を加えて実施することができる。
【００１４】
本開示において、「〜」を用いて表される数値範囲は、「〜」の前後に記載される数値を下限値及び上限値として含む範囲を意味する。本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
本開示において、組成物中の各成分の量について言及する場合、組成物中に各成分に該当する物質が複数存在する場合には、特に断らない限り、組成物中に存在する複数の物質の合計量を意味する。
本開示において「層」との語には、当該層が存在する領域を観察したときに、当該領域の全体に形成されている場合に加え、当該領域の一部にのみ形成されている場合も含まれる。
【００１５】
≪積層体≫
本開示の積層体は、積層体であって、２３℃及び相対湿度０％の条件で、ＪＩＳ  Ｋ７１２６−１（２００６年）に準じて測定される二酸化炭素透過度（本明細書中、単に二酸化炭素透過度ともいう。）が１０Ｌ／（ｍ２・ｄａｙ・ａｔｍ）以上でありガラス転移温度が４５℃以下である層Ｈと、前記積層体に内包されている二酸化炭素保持部Ｒと、を有する。
【００１６】
本開示の積層体において、二酸化炭素保持部Ｒは層Ｈを含む積層体全体に内包されているため、保存される際に、二酸化炭素保持部Ｒから二酸化炭素は容易に放出されない。
しかし、本開示の積層体における層Ｈを人体に圧着する際に、上記層Ｈの二酸化炭素透過度が１０Ｌ／（ｍ２・ｄａｙ・ａｔｍ）以上であり、ガラス転移温度が４５℃以下であることで、上記二酸化炭素保持部Ｒに含まれる二酸化炭素を、上記層Ｈの圧着面近傍から集中的に放出することができる。
この理由は、以下の通りに推測される。
本開示の積層体の層Ｈを人体に圧着する際、圧着面から体温（例えば、３６．５℃）が層Ｈに伝わるため、ガラス転移温度が４５℃以下である層Ｈの圧着面近傍は柔軟な状態となる。また、上記層Ｈの圧着面近傍が柔軟であるために、圧着する際にかかる圧力によって上記層Ｈの圧着面近傍の厚みが良好に薄くなる。
上記層Ｈの圧着面近傍が柔軟であり、かつ、厚みが薄い状態となることに加え、層Ｈが有する二酸化炭素透過度が１０Ｌ／（ｍ２・ｄａｙ・ａｔｍ）以上である場合に、二酸化炭素保持部Ｒに含まれる二酸化炭素が、上記層Ｈの圧着面近傍を良好に通過することができると推測される。
即ち、本開示の積層体は、層Ｈを人体に圧着する際に、層Ｈと人体との圧着面において集中的に二酸化炭素を放出することができると推測される。
以上により、本開示の積層体は、積層体に含まれる層Ｈと人体との圧着面において、二酸化炭素を集中的に作用させることができる。
【００１７】
本開示の積層体に係る実施形態について、図１を参照して説明する。
図１に示す通り、本開示の積層体１は、層Ｈ２と、積層体１に内包されている二酸化炭素保持部Ｒ３と、を有する。
本開示の積層体１の層Ｈ２を人体４に圧着する際、圧着面から体温（例えば、３６．５℃）が層Ｈ２に伝わるため、ガラス転移温度が４５℃以下である層Ｈ２の圧着面近傍５は柔軟な状態となる。また、上記層Ｈ２の圧着面近傍５が柔軟であるために、圧着する際にかかる圧力によって上記層Ｈ２の圧着面近傍５の厚みが良好に薄い状態となる。
積層体１が上記の状態であり、かつ、層Ｈ２が有する二酸化炭素透過度が１０Ｌ／（ｍ２・ｄａｙ・ａｔｍ）以上であることによって、二酸化炭素保持部Ｒ３に含まれる二酸化炭素が、上記層Ｈ２の圧着面近傍５を良好に通過することができる
【００１８】
二酸化炭素保持部Ｒは、層Ｈに内包されていてもよく、二酸化炭素保持部Ｒは、積層体の内、層Ｈに内包されてもよく、積層体に含まれる他の層に内包されていてもよく、層Ｈ及び上記他の層によって内包されていてもよい。
【００１９】
＜層Ｈ＞
本開示の積層体は、二酸化炭素透過度が１０Ｌ／（ｍ２・ｄａｙ・ａｔｍ）以上でありガラス転移温度が４５℃以下である層Ｈを有する。
これによって、層Ｈを人体に圧着する際に、二酸化炭素保持部Ｒに含まれる二酸化炭素を、層Ｈと人体との圧着面において集中的に放出することができる。その結果、積層体に含まれる層Ｈと人体との圧着面において、二酸化炭素を集中的に作用させることができる。
【００２０】
（二酸化炭素透過度）
層Ｈの二酸化炭素透過度は、１０Ｌ／（ｍ２・ｄａｙ・ａｔｍ）以上である。
層Ｈの二酸化炭素透過度が１０Ｌ／（ｍ２・ｄａｙ・ａｔｍ）以上であることで、層Ｈを人体に圧着する際に、層Ｈと人体との圧着面において集中的に二酸化炭素を放出することができる。
上記の観点から、層Ｈの二酸化炭素透過度は、１０Ｌ／（ｍ２・ｄａｙ・ａｔｍ）以上であることが好ましく、２０Ｌ／（ｍ２・ｄａｙ・ａｔｍ）以上であることがより好ましい。
また、層Ｈの二酸化炭素透過度は、１０，０００，０００Ｌ／（ｍ２・ｄａｙ・ａｔｍ）以下であることが好ましい。これによって、積層体を保存する際に、積層体に含まれる二酸化炭素保持部Ｒから二酸化炭素が放出されることをより良好に防ぐことができ、保存性をより向上させることができる。
上記の観点から、層Ｈの二酸化炭素透過度は、１０，０００，０００Ｌ／（ｍ２・ｄａｙ・ａｔｍ）以下であることがより好ましく、１，０００，０００Ｌ／（ｍ２・ｄａｙ・ａｔｍ）以下であることがさらに好ましい。
【００２１】
層Ｈにおける二酸化炭素透過度を調整する方法としては、特に制限はないが、例えば、層Ｈが高分子を含む場合には、高分子の種類、ガラス転移温度、密度、厚さ等を適宜選択することで、層Ｈの二酸化炭素透過度を調整することができる。
【００２２】
（ガラス転移温度）
層Ｈのガラス転移温度は、４５℃以下である。
これによって、積層体に含まれる層Ｈを人体に圧着する際に、体温（例えば３６．５℃）によって、層Ｈの圧着面近傍を柔軟な状態にできる。また、上記層Ｈの圧着面近傍が柔軟であるために、圧着する際にかかる圧力によって上記層Ｈの圧着面近傍の厚みが良好に薄くなる。その結果、二酸化炭素保持部Ｒに含まれる二酸化炭素が、上記層Ｈの圧着面近傍を良好に通過することができる。
また、層Ｈのガラス転移温度は２５℃以上であることが好ましい。
これによって、常温付近における環境下で積層体を保存する場合に、層Ｈが柔軟になりすぎず、二酸化炭素保持部Ｒに含まれる二酸化炭素が漏出することを防ぐことができる。
以上の観点から、前記層Ｈのガラス転移温度は３０℃〜４０℃であることが好ましい。
【００２３】
層Ｈの態様としては、二酸化炭素透過度が１０Ｌ／（ｍ２・ｄａｙ・ａｔｍ）以上でありガラス転移温度が４５℃以下であれば、特に制限はないが、高分子を含む態様であってもよい。
層Ｈが高分子を含むことで、上記二酸化炭素透過度及び上記ガラス転移温度を調整することが容易となる。
【００２４】
層Ｈに用いる高分子としては、公知のものを用いることができる。具体的には、ビニル系樹脂、オレフィン系樹脂、スチレン系樹脂、アクリル系樹脂、ポリエステル系樹脂、アミド系樹脂及びそれらのエラストマー等が挙げられる。
なお、ビニル系樹脂には、塩化ビニル系樹脂が含まれる。
上記の中でも、上記二酸化炭素透過度及び上記ガラス転移温度を調整することが容易である観点から、層Ｈが、ビニル系樹脂、オレフィン系樹脂、スチレン系樹脂、アクリル系樹脂及びそれらのエラストマーからなる群から選ばれる少なくとも１種の高分子を含むことが好ましい。
【００２５】
（厚み）
層Ｈの厚みとしては、二酸化炭素の良好な放出性を確保する観点から、０．０１ｍｍ〜１ｍｍが好ましく、０．０４ｍｍ〜０．５ｍｍがより好ましく、０．１ｍｍ〜０．５ｍｍがさらに好ましい。
【００２６】
＜二酸化炭素保持部Ｒ＞
本開示の積層体は、積層体に内包されている二酸化炭素保持部Ｒを有する。
これによって、積層体から二酸化炭素を放出できる。
二酸化炭素保持部Ｒは、積層体の内、層Ｈに内包されてもよく、積層体に含まれる他の層に内包されていてもよく、層Ｈ及び上記他の層によって内包されていてもよい。
本開示の積層体は、二酸化炭素保持部Ｒは、１つの二酸化炭素保持部Ｒを内包されていてもよく、複数の二酸化炭素保持部Ｒを内包していてもよい。
本開示において二酸化炭素保持部Ｒは、二酸化炭素自体を保持することができる。具体的には二酸化炭素保持部Ｒは、二酸化炭素自体を単独で含む態様であってもよく、二酸化炭素を含む二酸化炭素保持部材を含む態様であってもよい。
上記の中でも、二酸化炭素保持部Ｒは、二酸化炭素保持部材を含む態様がより好ましい。
【００２７】
二酸化炭素保持部材としては、特に制限はないが、綿、布及び多孔体からなる群から選ばれる少なくとも１種を含むことが好ましい。
これによって、積層体が人体に適用される際の圧力に対する反発力を生じさせることができ、層Ｈの厚みをより薄くすることができる。また、二酸化炭素保持部材に含まれる二酸化炭素を放出させることができる。以上の結果として、より多くの二酸化炭素をより良好に積層体から放出させることができる。
上記綿としては、脱脂綿等が挙げられる。
上記布としては、ガーゼ、不織布等が挙げられる。
上記多孔体としては、多孔質樹脂、スポンジ、パルプなど、主に連通の多孔体等が挙げられる。
より多くの二酸化炭素をより良好に積層体から放出させる観点及び安全性の観点から、二酸化炭素保持部材としては、脱脂綿、ガーゼ及び不織布がより好ましい。
【００２８】
＜層Ｌ＞
本開示の積層体は、層Ｈの二酸化炭素透過度に対して、二酸化炭素透過度が２０％以下である層Ｌをさらに備えることが好ましい。
本開示の積層体は、層Ｌをさらに備えることで層Ｌから外部への二酸化炭素の放出を抑制することができるため、相対的に、二酸化炭素透過度がより高い層Ｈからより多くの二酸化炭素を放出することができる。また、層Ｈから放出される二酸化炭素を、層Ｈと人体との間に留めることができる。
【００２９】
（二酸化炭素透過度）
本開示における層Ｌは、層Ｈの二酸化炭素透過度に対して、二酸化炭素透過度が２０％以下である。
これによって、上述のように層Ｈからより多くの二酸化炭素を放出させることができる。また、層Ｈから放出される二酸化炭素を、層Ｈと人体との間に留めることができる。その結果、層Ｈと人体との間における二酸化炭素濃度を高めることができるため、人体に二酸化炭素を集中的に作用させることが可能となる。
上記同様の観点から、層Ｌの二酸化炭素透過度が、層Ｈの二酸化炭素透過度に対して、１５％以下であることがより好ましく、１０％以下であることがさらに好ましい。
また、層Ｈの二酸化炭素透過度に対する層Ｌの二酸化炭素透過度の下限としては特に制限はないが、例えば、層Ｌの二酸化炭素透過度は、層Ｈの二酸化炭素透過度に対して０．０００００１％以上としてもよい。
【００３０】
層Ｌの二酸化炭素透過度は、０．０００００１〜２Ｌ／（ｍ２・ｄａｙ・ａｔｍ）であることが好ましい。
層Ｌの二酸化炭素透過度が０．０００００１Ｌ／（ｍ２・ｄａｙ・ａｔｍ）以上であることで、層Ｈと人体との間における二酸化炭素の濃度が過剰となることを防ぐことができる。
また、層Ｌの二酸化炭素透過度が２Ｌ／（ｍ２・ｄａｙ・ａｔｍ）以下であることで、二酸化炭素をより良好に層Ｈから放出することができる。また、層Ｈと人体との間における二酸化炭素の濃度を良好に高めることができる
上記同様の観点から、層Ｌの二酸化炭素透過度は、０．０００００１Ｌ／（ｍ２・ｄａｙ・ａｔｍ）〜２Ｌ／（ｍ２・ｄａｙ・ａｔｍ）としてもよい。
【００３１】
層Ｌにおける二酸化炭素透過度を調整する方法としては、上述の層Ｈにおける二酸化炭素透過度を調整する方法と同様の方法を用いることができる。
【００３２】
（高分子）
上記層Ｌの二酸化炭素透過度を達成する観点から、層Ｌは高分子を用いて形成されることが好ましい。
上記高分子としては、特に制限はないが、層Ｌは、上記二酸化炭素透過度を達成することが容易である観点から、ポリエステル系樹脂、アミド系樹脂、ビニル系樹脂、オレフィン系樹脂、スチレン系樹脂、アクリル系樹脂及びそれらのエラストマーからなる群から選ばれる少なくとも１種の高分子である高分子を含むことが好ましい。
【００３３】
（厚み）
層Ｌの厚みとしては、二酸化炭素を良好に層Ｈから放出させ、かつ、放出された二酸化炭素を人体と層Ｈとの間に良好に貯留させ、かつ、装着時の快適性を向上させる観点から、０．０１ｍｍ〜２ｍｍが好ましく、０．０４ｍｍ〜１ｍｍがより好ましく、０．１ｍｍ〜０．５ｍｍがさらに好ましい。
【００３４】
本開示の積層体の実施形態として、例えば以下の態様Ａ及び態様Ｂについて詳細に説明するが、本開示の積層体は以下の態様Ａ及び態様Ｂに限定されるものではない。
【００３５】
〜態様Ａ〜
本開示の積層体は、前記二酸化炭素保持部Ｒが、前記層Ｈと前記層Ｌとの間に配置されている態様Ａであってもよい。
態様Ａに係る積層体は、層Ｌの二酸化炭素透過度が層Ｈの二酸化炭素透過度に対して２０％以下であるため、二酸化炭素保持部Ｒに含まれる二酸化炭素は、二酸化炭素透過度がより高い層Ｈから多量に放出される。また、層Ｈから放出された二酸化炭素が層Ｌの外側に放出することを防ぐことができるため、層Ｈと人体との間の二酸化炭素濃度を高めることができる。その結果、二酸化炭素を集中的に人体に作用させることができる。
【００３６】
態様Ａに係る積層体について、図２を参照して説明する。
態様Ａに係る積層体は、図２に示すように、二酸化炭素保持部Ｒ３が、層Ｈ２と層Ｌ６との間に配置されていることで、積層体に内包されている。
層Ｈ２が人体に接触して態様Ａに係る積層体を人体に圧着させる場合に、上述の通り、二酸化炭素保持部Ｒ３に含まれる二酸化炭素は、層Ｌ６の二酸化炭素透過度と比較して、より高い二酸化炭素透過度を有する層Ｈ２から多量に放出される。また、層Ｈ２と人体との間の二酸化炭素濃度を高めることができる。
【００３７】
〜態様Ｂ〜
本開示の積層体は、二酸化炭素保持部Ｒが層Ｈに内包されている態様Ｂであってもよい。
態様Ｂに係る積層体は、二酸化炭素保持部Ｒ３が層Ｈ２によって覆われている態様であり、さらに他の層を備えていてもよい。
上記他の層としては、例えば上記層Ｌが挙げられる。即ち、態様Ｂに係る積層体は、上記層Ｌをさらに備えていてもよい。
【００３８】
層Ｌをさらに備える態様Ｂに係る積層体の実施形態について、図３を参照して説明する。
図３に示す通り、層Ｌ６をさらに備える態様Ｂに係る積層体は、二酸化炭素保持部Ｒ３が層Ｈ２によって覆われており、層Ｈ２の表面の少なくとも一部に対して層Ｌ６がさらに積層されている積層体である。
これによって、上述の態様Ａの場合を同様に、二酸化炭素保持部Ｒ３に含まれる二酸化炭素は、二酸化炭素透過度がより高い層Ｈ２から多量に放出される。また、層Ｈ２から放出された二酸化炭素が層Ｌ６の外側に放出することを防ぐことができるため、層Ｈ２と人体との間の二酸化炭素濃度を高めることができる。
【００３９】
＜用途＞
本開示の積層体は、人体に対し二酸化炭素を集中的に作用させる目的で、人体の様々な部位に対して用いることができる。上記部位としては、例えば、皮膚、口腔、鼻腔、耳孔等が挙げられる。
本開示の積層体は、例えば、本開示の積層体を含む、マウスピース、湿布、テープ、パック等の態様で用いることができる。
【００４０】
二酸化炭素を人体に作用させた場合に得られる効果としては、血行促進効果が挙げられる。
また、本開示の発明者らは、二酸化炭素を口腔に作用させた場合に得られる効果について検討した結果、口腔内の微生物の増殖を抑制できることを見出した。
即ち、口腔内に存在する微生物の近傍を二酸化炭素濃度の高い環境とすることで、上記微生物の増殖を抑制できることを見出した。
例えば歯周病菌が存在している口腔に対して本開示の積層体を備える二酸化炭素供給部材を適用した場合、上記歯周病菌の近傍の環境を高濃度の二酸化炭素が存在する環境とすることができるため、歯周病菌の増殖を抑制することができる。
【００４１】
≪二酸化炭素供給部材≫
本開示の二酸化炭素供給部材は、本開示の積層体を備える。
これによって、本開示の二酸化炭素供給部材は、人体の様々な部位に対して二酸化炭素を集中的に作用させることができる。
例えば、皮膚に対して二酸化炭素を集中的に作用させる場合は、二酸化炭素供給部材の形態を、湿布、テープ等の形態としてもよい。また、口腔（特に、歯茎）に対して二酸化炭素を集中的に作用させる場合は、二酸化炭素供給部材の形態を、マウスピース等の形態としてもよい。
【００４２】
本開示の二酸化炭素供給部材は、さらに、把持部を備え、層Ｈの少なくとも一部が露出していることが好ましい。
上述の通り、本開示の積層体は、人体に接触した場合に、接触した部分が体温によって柔軟となり、二酸化炭素保持部Ｒに含まれる二酸化炭素が放出される。しかし、本開示の積層体を備える二酸化炭素供給部材が、人体に接触して体温が伝わった際に柔軟とならず、かつ、二酸化炭素を放出しない把持部を備えることで、二酸化炭素供給部材を使用する際に誤って二酸化炭素が放出されることを防ぐことができる。
【００４３】
上記把持部のガラス転移温度は、４５℃超であることが好ましい。
これによって、二酸化炭素供給部材を使用する際に誤って二酸化炭素が放出されることをより良好に防ぐことができる。
上記の観点から、上記把持部のガラス転移温度は、５０℃以上であることがより好ましい。
【００４４】
上記把持部の厚みは、０．１ｍｍ以上であることが好ましい。
これによって、把持部として適切な強度を得ることができる。
上記の観点から、上記把持部の厚みは、０．２ｍｍ以上であることがより好ましく、０．５ｍｍ以上であることがさらに好ましい。
【００４５】
〜態様Ｃ〜
本開示の二酸化炭素供給部材は、二酸化炭素供給部材に備えられる積層体が、長尺状であり、長尺方向と交差する方向に切断した場合の断面において、前記層Ｈが最も外側に配置されている態様Ｃであることが好ましい。
上記の態様Ｃに係る二酸化炭素供給部材について、図４（ａ）及び（ｂ）を参照して説明する。
図４（ａ）に示す通り、態様Ｃに係る二酸化炭素供給部材において、二酸化炭素供給部材が備える積層体１が長尺状である。そして、図４（ｂ）に示す通り、前記長尺状の長尺方向と交差する方向（即ち、Ｘ−Ｘ線に示す方向）に、前記積層体１を切断した場合の断面において、層Ｈ２が最も外側に配置されている。
【００４６】
上記断面における中心部には、少なくとも二酸化炭素保持部Ｒ３が含まれる。
態様Ｃにおける二酸化炭素保持部Ｒ３には、二酸化炭素が単独で含まれていてもよく、上述の二酸化炭素保持部材が含まれていてもよいが、二酸化炭素保持部材が含まれていることが好ましい。
態様Ｃにおける二酸化炭素保持部Ｒ３に二酸化炭素保持部材が含まれていることで、積層体が人体に適用される際の圧力に対する反発力を生じさせることができる。その結果、上記圧力及び反発力を層Ｈに加えることで、層Ｈの厚みをより薄くすることができるため、層Ｈからより多くの二酸化炭素を放出させることができる。
【００４７】
〜態様Ｄ〜
本開示の二酸化炭素供給部材は、態様Ｃに係る二酸化炭素供給部材に備えられる積層体が、中心部に空洞を有する長尺状である態様Ｄであってもよい。
上記態様Ｄに係る二酸化炭素供給部材について、図５を参照して説明する。
図５に示す通り、態様Ｄに係る二酸化炭素供給部材に備えられる積層体は、前記長尺状の長尺方向と交差する方向に、前記積層体を切断した場合の断面において、層Ｈ２が最も外側に配置され、かつ、中心部に空洞７及び二酸化炭素保持部Ｒ３を有する。
【００４８】
≪口腔内用二酸化炭素供給部材≫
本開示の口腔内用二酸化炭素供給部材は、本開示の二酸化炭素供給部材の両端が接続されて形成されている環状構造体を備える。
以下、本開示の口腔内用二酸化炭素供給部材の使用態様の一例について、図６を参照して説明する。
図６に示す通り、本開示の口腔内用二酸化炭素供給部材８を、歯９の全体の周囲を囲うように、歯茎１０に沿って装着する。
これによって、歯茎１０と接触する面において口腔内用二酸化炭素供給部材８から二酸化炭素が放出され、口腔内用二酸化炭素供給部材８が備える環状構造体の内側に存在する歯９及び歯茎１０の周囲が、二酸化炭素濃度が高い状態となる。
その結果、上述の通り、歯茎の血行を促進することができる。また、歯と歯茎の境界部に存在する微生物（例えば歯周病菌）の増殖を抑制することができる。
【００４９】
本開示の口腔内用二酸化炭素供給部材は、さらに、前記積層体の一部と他の一部とを接続する接続部を備えることが好ましい。
本開示の口腔内用二酸化炭素供給部材は、上記接続部を１つのみ備えていてもよく、複数備えていてもよい。
上記接続部について、図７を参照して説明する。
図７に示す通り、本開示の口腔内用二酸化炭素供給部材８が備える上記接続部１１は、歯列に対して交差する線上に存在する前記積層体の一部及び他の一部を接続する。
これによって、接続部１１が接続する上記積層体の一部及び他の一部を、歯９及び歯茎１０と密着させることができるため、歯９及び歯茎１０に対して、より集中的に二酸化炭素を作用させることができる。従って、上述の通り、より歯茎の血行を促進することができる。また、歯と歯茎の境界部に存在する微生物（例えば歯周病菌）の増殖をより抑制することができる。
【実施例】
【００５０】
以下、本開示を説明するための参考例を示すが、本開示はその主旨を越えない限り、以下の参考例によって限定されるものではない。
【００５１】
（参考例１）
（播種）
まず、セプタムつきの２０ｍＬバイアル瓶を滅菌した。そして、上記バイアル瓶にｍＧＡＭ培地を、各１０ｍｌ添加した。
次に、前培養した、Ｐ．ｇｉｎｇｉｖａｌｉｓをｍＧＡＭ培地で１００倍希釈し、２００μＬ播種した。
なお、Ｐ．ｇｉｎｇｉｖａｌｉｓは歯周病の原因菌に含まれる。
（培養）
次に、Ａｎｏｘｏｍａｔ（登録商標、Ａｄｖａｎｃｅｄ  Ｉｎｓｔｒｕｍｅｎｔｓ社製）を用いて、ｍＧＡＭ培地に係るバイアル内の酸素濃度を０％に調整して、嫌気条件下、ｍＧＡＭ培地に係るバイアル内のＰ．ｇｉｎｇｉｖａｌｉｓを、３７℃で４８時間培養した。
なお、嫌気条件とは、ガス組成が、質量基準でＣＯ２／Ｈ２／Ｎ２＝１０／１０／８０であることをいう。
【００５２】
（参考例２）
ｍＧＡＭ培地に係るバイアル瓶へ二酸化炭素を吹き込んで、ｍＧＡＭ培地に係るバイアル内の環境をＣＯ２高濃度条件として、Ｐ．ｇｉｎｇｉｖａｌｉｓを培養した以外は参考例１と同様にして参考例２を行った。
具体的には、カセットタイプの二酸化炭素ボンベ（日陶科学株式会社製）の出口に滅菌フィルターを取り付けた後、さらに注射器を接続した。そして、上記セプタムを経由して注射器の注射針をｍＧＡＭ培地に係るバイアル瓶へ差し込み、５０ｍＬの二酸化炭素を吹き込んだ。３７℃で嫌気条件下、空気下、ＣＯ２吹込み条件下にて４８時間培養した。
なお、ＣＯ２高濃度条件とは、ＣＯ２の分圧が嫌気条件のガス組成よりも大きいことをいう。
【００５３】
（参考例３）
吹き込む二酸化炭素の量を２００ｍＬとした以外は参考例２と同様にして参考例３を行った。
【００５４】
−濁度の測定−
参考例１〜参考例３に係るバイアルに対し、Ｖ７２０  ｂｉｏ（日本分光株式会社製）用いて、表１に記載の間隔で波長６００ｎｍにおけるＯＤ値（Ｏｐｔｉｃａｌ  Ｄｅｎｓｉｔｙ値）を測定した。結果を表１に示す。
【００５５】
−植え継ぎ培養−
４８時間経過後の参考例１〜参考例３に係る培養液に対し、同様の菌液を植え継ぎし、通常の嫌気培養を行って、菌が生育するか否かを目視で確認した。結果を表１に示す。
【００５６】
【表１】
2020196178.tif 000003
【００５７】
表１に示す通り、ＣＯ２濃度が低い嫌気条件で菌を培養した参考例１は、４２時間後以降の培養時間においてＯＤ値が０超であり、ＣＯ２高濃度条件で培養した参考例２及び３は、０時間後〜４８時間後の全ての培養時間においてＯＤ値が０であった。このことから、環境中のＣＯ２濃度の上昇によって、菌の増殖を抑制できることが示唆された。
また、植え継ぎ培養を行った結果、ＣＯ２高濃度条件下で培養した参考例２及び３はいずれもＰ．ｇｉｎｇｉｖａｌｉｓが生育せず、菌が完全に死滅したことが確かめられた。
【符号の説明】
【００５８】
１・・・積層体
２・・・層Ｈ
３・・・二酸化炭素保持部Ｒ
４・・・人体
５・・・圧着面近傍
６・・・層Ｌ
７・・・空洞
８・・・口腔内用二酸化炭素供給部材
９・・・歯
１０・・・歯茎
１１・・・接続部
【図１】
2020196178.tif 000004
【図２】
2020196178.tif 000005
【図３】
2020196178.tif 000006
【図４】
2020196178.tif 000007
【図５】
2020196178.tif 000008
【図６】
2020196178.tif 000009
【図７】
2020196178.tif 000010